(57)【特許請求の範囲】
【請求項１】
撮影に際して赤目現象が発生しうる撮影条件か否かを検知し、赤目現象が発生しうる条件である旨を撮影駒と関連付けて記録する赤目発生条件記録手段と、
前記赤目発生条件記録手段の動作の有無を切換える記録動作切換手段と、
赤目現象が発生しうる条件下で、撮影直前に赤目軽減のためのプリ発光を行うプリ発光手段とを備え、
前記記録動作切換手段によって前記赤目発生条件記録手段の動作を禁止している場合には、前記プリ発光手段の動作を許可し、前記記録動作切換手段によって前記赤目発生条件記録手段の動作をさせている場合には前記プリ発光手段の動作を禁止するようにしたことを特徴とする赤目修正に対応可能なカメラシステム。
【請求項２】
撮影に際して赤目現象が発生しうる撮影条件であると判定された撮影駒について撮影画像の赤目部分の画像データを修正する修正手段と、
前記修正手段の動作の有無を切換える修正動作切換手段と、
赤目現象が発生しうる条件下で、撮影直前に赤目軽減のためのプリ発光を行うプリ発光手段とを備え、
前記修正動作切換手段によって前記修正手段の動作を禁止している場合には、前記プリ発光手段の動作を許可し、前記修正動作切換手段によって前記修正手段の動作をさせている場合には前記プリ発光手段の動作を禁止するようにしたことを特徴とする赤目修正に対応可能なカメラシステム。
【請求項３】
撮影に際して赤目現象が発生しうる撮影条件か否かを検知し、赤目現象が発生しうる条件である旨を撮影駒と関連付けて記録する赤目発生条件記録手段と、
赤目現象が発生しうる条件下で、撮影直前に赤目軽減のためのプリ発光を行うプリ発光手段と、
前記プリ発光手段の動作の有無を切換えるプリ発光動作切換手段と、
前記プリ発光動作切換手段によって前記プリ発光手段の動作を禁止している場合には前記赤目発生条件記録手段を動作させ、前記プリ発光動作切換手段によって前記プリ発光手段の動作を許可している場合には前記赤目発生条件記録手段の動作を禁止するようにしたことを特徴とする赤目修正に対応可能なカメラシステム。
【請求項４】
赤目修正すべき旨を指示する修正指示情報を撮影駒と関連付けて記録する修正指示情報記録手段と、
赤目現象が発生しうる条件下で、撮影直前に赤目軽減のためのプリ発光を行うプリ発光手段と、
セルフタイマー撮影およびセルフタイマー撮影でない撮影を択一的に選択するセルフタイマー撮影選択手段とを備え、
前記セルフタイマー撮影選択手段によってセルフタイマー撮影が選択された撮影駒については前記プリ発光手段によるプリ発光の有無にかかわりなく前記修正指示情報記録手段を動作させ、前記セルフタイマー撮影選択手段によってセルフタイマー撮影が選択されなかった撮影駒については前記プリ発光手段によるプリ発光をしない場合にのみ前記修正指示情報記録手段を動作させるようにしたことを特徴とする赤目修正に対応可能なカメラシステム。
【請求項５】
赤目修正すべき旨を指示する修正指示情報を撮影駒と関連付けて記録する修正指示情報記録手段と、
赤目現象が発生しうる条件下で、撮影直前に赤目軽減のためのプリ発光を行うプリ発光手段と、
リモートコントロール撮影およびリモートコントロール撮影でない撮影を択一的に選択するリモートコントロール撮影選択手段とを備え、
前記リモートコントロール撮影選択手段によってリモートコントロール撮影が選択された撮影駒については前記プリ発光手段によるプリ発光の有無にかかわりなく前記修正指示情報記録手段を動作させ、前記リモートコントロール撮影選択手段によってリモートコントロール撮影が選択されなかった撮影駒については前記プリ発光手段によるプリ発光をしない場合にのみ前記修正指示情報記録手段を動作させるようにしたことを特徴とする赤目修正に対応可能なカメラシステム。
【請求項６】
赤目修正すべき旨を指示する修正指示情報を撮影駒と関連付けて記録する修正指示情報記録手段と、
赤目現象が発生しうる条件下で、撮影直前に赤目軽減のためのプリ発光を行うプリ発光手段と、
人物撮影専用モードおよび人物撮影専用モードでない撮影モードを択一的に選択する人物撮影専用モード選択手段とを備え、
前記人物撮影専用モード選択手段によって人物撮影専用モードが選択された撮影駒については前記プリ発光手段によるプリ発光の有無にかかわりなく前記修正指示情報記録手段を動作させ、前記人物撮影専用モード選択手段によって人物撮影専用モードが選択されなかった撮影駒については前記プリ発光手段によるプリ発光をしない場合にのみ前記修正指示情報記録手段を動作させるようにしたことを特徴とする赤目修正に対応可能なカメラシステム。
【発明の詳細な説明】
【０００１】
【発明の属する技術分野】
本発明は、ストロボ撮影で生じる撮影画像の赤目を修正する赤目修正に対応可能なカメラシステムに関する。
【０００２】
【従来の技術】
ストロボ撮影において発生する撮影画像の赤目を修正するためのカメラシステムが特開平２−６４５３２号公報に開示されている。赤目現象とは、電子閃光装置を用いたカラー写真撮影において、人間の眼が赤色または金色に光って写ることをいう。この現象は、眼の瞳孔を通過した電子閃光装置の発光部の閃光が網膜部分で反射され、その反射光がフィルムに写って発生するものである。眼の網膜部分には毛細血管が多数存在し、その血液中のヘモグロビンが赤色であるので、その反射光が赤みを帯びて写るのである。
【０００３】
【発明が解決しようとする課題】
特開平２−６４５３２号公報には、銀塩カメラにおいて赤目情報をフィルム上に磁気記録しておき、プリンタでプリントするときに、赤目情報に基づいてプリントした写真を選別するもの（第３図、第６図）、あるいは、赤目情報があるときに瞳をレーザで照射して赤目修正するもの（第７図）が開示されている。一方、赤目を抑制するために撮影直前にプリ発光を行う手法が知られているが、プリ発光を行う場合に必ずしもプリ発光および赤目修正の両者の動作を行う必要がない。また、撮影モードの選択と無関係に赤目修正を行うのは適切でない場合がある。
【０００４】
本発明の目的は、赤目修正が必要な場合にのみ赤目修正を行うようにしたカメラシステムを提供することにある。
【０００５】
【課題を解決するための手段】
一実施の形態を示す図１および図８に対応づけて説明すると、請求項１に記載の発明は、撮影に際して赤目現象が発生しうる撮影条件か否かを検知し、赤目現象が発生しうる条件である旨を撮影駒と関連付けて記録する赤目発生条件記録手段４と、赤目発生条件記録手段４の動作の有無を切換える記録動作切換手段５と、赤目現象が発生しうる条件下で、撮影直前に赤目軽減のためのプリ発光を行うプリ発光手段２とを備え、記録動作切換手段５によって赤目発生条件記録手段の動作を禁止している場合にはプリ発光手段２の動作を許可し、記録動作切換手段５によって赤目発生条件記録手段４の動作をさせている場合にはプリ発光手段２の動作を禁止するようにしたことにより上述の目的が達成される。
請求項２に記載の発明は、撮影に際して赤目現象が発生しうる撮影条件であると判定された撮影駒について撮影画像の赤目部分の画像データを修正する修正手段１０４、１０３と、修正手段１０４、１０３の動作の有無を切換える修正動作切換手段１０９と、赤目現象が発生しうる条件下で、撮影直前に赤目軽減のためのプリ発光を行うプリ発光手段１０７とを備え、修正動作切換手段１０９によって修正手段１０４、１０３の動作を禁止している場合にはプリ発光手段１０７の動作を許可し、修正動作切換手段１０９によって修正手段１０４、１０３の動作をさせている場合にはプリ発光手段１０７の動作を禁止するようにしたことにより上述の目的が達成される。
請求項３に記載の発明は、撮影に際して赤目現象が発生しうる撮影条件か否かを検知し、赤目現象が発生しうる条件である旨を撮影駒と関連付けて記録する赤目発生条件記録手段４と、赤目現象が発生しうる条件下で、撮影直前に赤目軽減のためのプリ発光を行うプリ発光手段２と、プリ発光手段２の動作の有無を切換えるプリ発光動作切換手段６と、プリ発光動作切換手段６によってプリ発光手段２の動作を禁止している場合には赤目発生条件記録手段４を動作させ、プリ発光動作切換手段６によってプリ発光手段２の動作を許可している場合には赤目発生条件記録手段４の動作を禁止するようにしたことにより上述の目的が達成される。
請求項４に記載の発明は、赤目修正すべき旨を指示する修正指示情報を撮影駒と関連付けて記録する修正指示情報記録手段４と、赤目現象が発生しうる条件下で、撮影直前に赤目軽減のためのプリ発光を行うプリ発光手段２と、セルフタイマー撮影およびセルフタイマー撮影でない撮影を択一的に選択するセルフタイマー撮影選択手段７とを備え、セルフタイマー撮影選択手段７によってセルフタイマー撮影が選択された撮影駒についてはプリ発光手段２によるプリ発光の有無にかかわりなく修正指示情報記録手段４を動作させ、セルフタイマー撮影選択手段７によってセルフタイマー撮影が選択されなかった撮影駒についてはプリ発光手段２によるプリ発光をしない場合にのみ修正指示情報記録手段４を動作させるようにしたことにより上述の目的が達成される。
請求項５に記載の発明は、赤目修正すべき旨を指示する修正指示情報を撮影駒と関連付けて記録する修正指示情報記録手段４と、赤目現象が発生しうる条件下で、撮影直前に赤目軽減のためのプリ発光を行うプリ発光手段２と、リモートコントロール撮影およびリモートコントロール撮影でない撮影を択一的に選択するリモートコントロール撮影選択手段７とを備え、リモートコントロール撮影選択手段７によってリモートコントロール撮影が選択された撮影駒についてはプリ発光手段２によるプリ発光の有無にかかわりなく修正指示情報記録手段４を動作させ、リモートコントロール撮影選択手段７によってリモートコントロール撮影が選択されなかった撮影駒についてはプリ発光手段２によるプリ発光をしない場合にのみ修正指示情報記録手段４を動作させるようにしたことにより上述の目的が達成される。
請求項６に記載の発明は、赤目修正すべき旨を指示する修正指示情報を撮影駒と関連付けて記録する修正指示情報記録手段４と、赤目現象が発生しうる条件下で、撮影直前に赤目軽減のためのプリ発光を行うプリ発光手段２と、人物撮影専用モードおよび人物撮影専用モードでない撮影モードを択一的に選択する人物撮影専用モード選択手段７とを備え、人物撮影専用モード選択手段７によって人物撮影専用モードが選択された撮影駒についてはプリ発光手段２によるプリ発光の有無にかかわりなく修正指示情報記録手段４を動作させ、人物撮影専用モード選択手段７によって人物撮影専用モードが選択されなかった撮影駒についてはプリ発光手段２によるプリ発光をしない場合にのみ修正指示情報記録手段４を動作させるようにしたことにより上述の目的が達成される。
【０００６】
なお、本発明の構成を説明する上記課題を解決するための手段の項では、本発明を分かり易くするために発明の実施の形態の図を用いたが、これにより本発明が実施の形態に限定されるものではない。
【０００７】
【発明の実施の形態】
−第１の実施の形態−
以下、図１〜図３を用いて、本発明による赤目修正に対応可能なカメラシステムの第１の実施の形態について説明する。
【０００８】
図１において、Ｐ１は装填した銀塩フィルムＦ（図２）に被写体像を光学的に記録するカメラ本体部であり、１は被写体の輝度を検出する輝度情報検出部である。２は撮影（ストロボ撮影）時に発光して被写体を照明するストロボ装置（電子閃光装置）である。ストロボ装置２はストロボ撮影前のプリ発光によって赤目の発生を抑制する目的でも用いられる。プリ発光により瞳が閉じるため、その後のストロボ撮影で赤目の発生を抑制することができる。３は撮影時に絞りやシャッタ等、カメラ各部の撮影制御部材（不図示）の制御を行う撮影制御部である。
【０００９】
図１において、４は情報記録部であり、フィルムＦの余白に各駒ごとに設けた撮影情報記録領域Ｍ２（図２）に赤目の修正を指示する赤目情報等の撮影情報を写し込む。情報記録部４は、例えば１つの発光ダイオードからなり、フィルム給送しながらこの発光ダイオードを所定のタイミングで点灯してフィルムＦの撮影情報記録領域Ｍ２を露光し、これにより赤目情報等を記録することができる。なお、図２においてＭ１は被写体像が写し込まれる画像領域であり、この画像領域Ｍ１がフィルムＦの各駒に相当する。ＰＦはカメラの給送機構（不図示）と係合するフィルムパーフォレーションであり、給送機構を駆動することによりフィルムＦを給送することができる。
【００１０】
図１において、５は修正モード選択スイッチであり、赤目修正モードを選択するか否か、すなわち赤目が発生する撮影条件であると判定されたときに、赤目情報をフィルムＦの撮影情報記録領域Ｍ２に写し込むか否かを選択するためのスイッチである。後述するように、例えば赤目修正モードが選択されていない場合には、赤目が発生する撮影条件であると判定されたときでも撮影領域Ｍ２への赤目情報の写し込みを行わないようにする。なお、赤目が発生する撮影条件か否かの判定については後述する。
【００１１】
図１において、６はストロボ装置２の発光モードを切替えるための発光モード選択スイッチである。発光モード選択スイッチ６により、自動発光モード、強制発光モード、発光禁止モード、プリ発光モード（赤目軽減モード）等が選択できる。自動発光モードとは撮影条件に基づいてストロボ発光の有無を自動的に決定するモードであり、強制発光モードとは常にストロボ撮影を行うモードであり、発光禁止モードとはストロボ発光を行わずに撮影するモードであり、プリ発光モードとは赤目を軽減するために１回ストロボ発光（プリ発光）を行った後、ストロボ撮影に移行するモードである。
【００１２】
図１において、７は撮影モード選択スイッチであり、セルフタイマー撮影モード（あるいはリモコン撮影モード）、ポートレート撮影モード等が選択できる。ポートレートモードとは人物撮影（肖像撮影）に適するように撮影制御を行う撮影モードである。図１において、９はカメラ本体部Ｐ１の動作を制御するカメラ制御装置であり、輝度情報検出部１、ストロボ装置２、撮影制御部３、情報記録部４、修正モード選択スイッチ５、発光モード選択スイッチ６および撮影モード選択スイッチ７と接続されている。
【００１３】
図１において、Ｐ２はプリンタであり、フィルム余白の撮影情報記録領域Ｍ２に記録された撮影情報を読取る情報読取部２１と、読取られた情報から赤目情報の有無を検出する赤目情報検出部２２と、赤目情報が検出された駒を選別する選別部２３とを備える。
【００１４】
情報読取部２１は、例えばフォトインタラプタから成り、フォトインタラプタの受光素子と発光素子との間にフィルム余白の撮影情報記録領域Ｍ２を位置せしめて赤目情報を読取る。上述のように、赤目修正を行うべきであると判定されている場合には撮影情報記録領域Ｍ２が露光されているから、発光素子の光が領域Ｍ２によって遮断される。一方、赤目修正を行うべきでないと判定されている場合には領域Ｍ２が露光されないから、発光素子の光が受光素子に到達する。したがって、情報読取部２１は受光素子の出力の状態から領域Ｍ２の情報を読取ることができる。
【００１５】
また、赤目検出部２２は、例えば受光素子からの信号を基準レベルの信号と比較することにより、受光素子に光が照射されているか否かを判定するように構成される。さらに選別部２３は、例えば赤目検出部２２で赤目情報が記録されている駒の写真を、通常の写真（赤目情報が記録されていないネガフィルムから得られた写真）とは別のトレイにプリント後に送り出し、後作業にて写真上の瞳に加筆修正するための選別を行う。すなわち、この選別部２３は、赤目情報が検出された駒を通常の写真と選別するための信号を不図示のアクチュエータに出力して、プリントされた写真の排出経路を切替える。
【００１６】
次に、図３（ａ）を用いて、第１の実施の形態のカメラシステムの動作について説明する。図３（ａ）のステップＳ１では輝度情報検出部１の輝度情報およびストロボ装置２の使用の有無を読み込み、ステップＳ２へ進む。ステップＳ２ではステップＳ１で読み込まれた情報に基づいて赤目が発生しうる撮影条件か否か判断し、赤目発生の可能性があるものと判定されればステップＳ３へ進み、赤目発生の可能性がないものと判定されれば不図示のルーチンへ飛ぶ。
【００１７】
赤目現象はストロボ光に起因しているので、ストロボ装置２を使用しない撮影では発生しない。また、赤目現象は撮影環境が暗い場合に発生しやすいが、これは暗い場合に瞳孔の直径が大きくなるため、眼球内部へのストロボ光の入射光量および眼球内部からの反射光量のいずれも大きくなるからである。ステップＳ１では、このような赤目現象の発生する可能性を判定するのに必要な情報を読み込み、ステップＳ２において発生の可能性を判定するようにしたものである。
【００１８】
ステップＳ３では修正モード選択スイッチ５の状態を読み込み、赤目修正モードが選択されていると判定されればステップＳ５へ進み、赤目修正モードが選択されていないと判定されればステップＳ４へ進む。ステップＳ４ではプリ発光を行った後、ストロボ撮影を行い、リターンする。一方、ステップＳ５ではプリ発光をすることなくストロボ撮影を行い、ステップＳ６へ進む。ステップＳ６では赤目情報をフィルムＦの撮影情報記録領域Ｍ２に写し込んでリターンする。なお、図３（ａ）ではステップＳ４において撮影を行った場合には、その後に赤目情報の写し込みを行わないようにしているが、この場合もプリ発光が禁止された場合（ステップＳ５、ステップＳ６）と同様に、赤目情報の写し込みを行うようにしてもよい。
【００１９】
次に、図３（ｂ）を用いてプリンタＰ２の動作について説明する。フィルムＦを現像してプリンタＰ２にセットすると、図３（ｂ）の動作が実行される。まず、ステップＳ１０１において、情報読取部２１で撮影情報記録領域Ｍ２に記録された撮影情報を読取る。具体的には、例えば、フィルム余白の撮影情報記録領域Ｍ２と対向するフォトインタラプタの発光素子を点灯し、受光素子の出力を検出する。次いでステップＳ１０２に進み、赤目情報の有無を判定する。例えば、発光素子の光が領域Ｍ２の赤目情報によって遮断されると受光素子は光を受光しないからその出力はローレベルであり、それにより赤目情報検出部２２は赤目情報を検出する。赤目情報が有る場合にはステップＳ１０４に進んで赤目フラグを立て、その後、ステップＳ１０４において印画紙に画像領域Ｍ１のネガ像を焼き付ける。
【００２０】
ステップＳ１０２で赤目情報が無いと判定されると、ステップＳ１０３をスキップしてステップＳ１０４でプリントする。その後ステップＳ１０５に進み、赤目フラグが有るか否かを判定する。赤目フラグが有ると判定されるとステップＳ１０６に進み、プリントされた写真をトレイに送り出す。赤目フラグが無いと判定されるとステップＳ１０７に進んで、プリントされた写真を通常写真用のトレイへ送り出す。
【００２１】
全駒について以上のようにプリントした後、赤目写真用トレイに送り出された写真については、レタッチと呼ばれる手法で写真上の赤目を直接加筆修正する。
【００２２】
第１の実施の形態のカメラシステムでは、赤目修正モードが選択されている場合には撮影時のプリ発光を禁止し（ステップＳ５）、プリンタＰ２において赤目修正すべく赤目情報をフィルムＦに写し込むようにしている（ステップＳ６）。プリ発光を省略することにより、フィルムＦ上には赤目が写し込まれる可能性があるが、赤目修正を行うことが予定されている場合には、プリ発光を省略しても修正により最終的には赤目の部分が残らないため問題はない。したがって第１の実施の形態では、赤目修正モードの選択と無関係にプリ発光を行う場合と比べて、電力消費を抑制することができる。なお、プリ発光のための発光装置、例えば発光ダイオード等をストロボ装置２と別に設けてもよい。
【００２３】
−第２の実施の形態−
以下、図４を用いて、本発明による赤目修正に対応可能なカメラシステムの第２の実施の形態の動作について説明する。第２の実施の形態のカメラシステムの構成は第１の実施の形態のカメラシステムと同一であるため、その説明は省略する。
【００２４】
図４のステップＳ１１では輝度情報検出部１の輝度情報およびストロボ装置２の使用の有無を読み込み、ステップＳ１２へ進む。ステップＳ１２ではステップＳ１１で読み込まれた情報に基づいて赤目が発生しうる撮影条件か否か判断し、赤目発生の可能性があるものと判定されればステップＳ１３へ進み、赤目発生の可能性がないものと判定されれば不図示のルーチンへ飛ぶ。
【００２５】
ステップＳ１３では発光モード選択スイッチ６の状態を読み込み、プリ発光モードが選択されていないと判定されればステップＳ１４へ進む。ステップＳ１４ではプリ発光を行わずにストロボ撮影を行い、ステップＳ１５へ進む。ステップＳ１５ではフィルムＦの撮影情報記録領域Ｍ２に赤目情報を写し込んでリターンする。一方、ステップＳ１３においてプリ発光モードが選択されていると判定されればステップＳ１６へ進み、ステップＳ１６ではプリ発光を行った後、ストロボ撮影を行ってリターンする。
【００２６】
第２の実施の形態では、プリ発光モードが選択されている場合には、撮影に際して赤目情報をフィルムＦに写し込まないようにしている。プリ発光モードが選択されている場合にはプリ発光が行われるため（ステップＳ１６）、赤目が発生する可能性が極めて低く、赤目修正の必要がない。このため、第２の実施の形態ではこのような場合にはプリンターＰ２における赤目修正を行わないようにして、処理の簡略化を図っている。
【００２７】
−第３の実施の形態−
以下、図５を用いて、本発明による赤目修正に対応可能なカメラシステムの第３の実施の形態の動作について説明する。第３の実施の形態のカメラシステムの構成は第１の実施の形態のカメラシステムと同一であるため、その説明は省略する。
【００２８】
図５はストロボ撮影が選択された場合の動作の一部を示している。図５のステップＳ２１では撮影モード選択スイッチ７の状態を読み込み、セルフタイマー撮影モード（あるいはリモコン撮影モード）またはポートレート撮影モードが選択されていると判定されればステップＳ２４へ進み、これらの撮影モードがいずれも選択されていないと判定されればステップＳ２２へ進む。ステップＳ２２ではプリ発光を行うか否か判断し、プリ発光を行うと判定されればステップＳ２３へ進み、プリ発光を行わないと判定されればステップＳ２４へ進む。ステップＳ２３ではストロボ撮影を行い、リターンする。
【００２９】
ステップＳ２４では輝度情報検出部１の輝度情報およびストロボ装置２の使用の有無を読み込み、ステップＳ２５へ進む。ステップＳ２５ではステップＳ２４で読み込まれた情報に基づいて赤目が発生しうる撮影条件か否か判断し、赤目発生の可能性があるものと判定されればステップＳ２６へ進み、赤目発生の可能性がないものと判定されれば不図示のルーチンへ飛ぶ。ステップＳ２６ではストロボ撮影を行い、ステップＳ２７へ進む。ステップＳ２７では赤目情報をフィルムＦの撮影情報記録領域Ｍ２に写し込み、リターンする。
【００３０】
第３の実施の形態では、セルフタイマー撮影モード（あるいはリモコン撮影モード）またはポートレート撮影モードが選択されている場合には、赤目発生の可能性があるものと判定されていれば（ステップＳ２５）、プリ発光の有無と無関係に赤目情報を記録するようにしている（ステップＳ２７）。また、セルフタイマー撮影モード（あるいはリモコン撮影モード）またはポートレート撮影モードが選択されていない場合には、プリ発光を行わない場合にのみ赤目情報を記録するようにしている（ステップＳ２３、ステップＳ２７）。このように、セルフタイマー撮影等の撮影モードが選択されている場合には、プリ発光を行う撮影駒についても後工程で赤目修正を行うようにしたのは、これらの撮影モードでは人物が被写体となる可能性が高いため、確実に赤目を排除できる処理を採るようにしたものである。プリ発光後のストロボ撮影では通常は赤目が生じないが、この場合においても稀に赤目が発生することがあるため、赤目が発生した場合にはプリンターＰ２での赤目修正により対処するようにしたものである。
【００３１】
−第４の実施の形態−
以下、図６を用いて、本発明による赤目修正に対応可能なカメラシステムの第４の実施の形態の動作について説明する。第４の実施の形態のカメラシステムの構成は第１の実施の形態のカメラシステムと同一であるため、その説明は省略する。
【００３２】
図６のステップＳ３１では輝度情報検出部１の輝度情報およびストロボ装置２の使用の有無を読み込み、ステップＳ３２へ進む。ステップＳ３２ではステップＳ３１で読み込まれた情報に基づいて赤目が発生しうる撮影条件か否か判断し、赤目発生の可能性があるものと判定されればステップＳ３３へ進み、赤目発生の可能性がないものと判定されれば不図示のルーチンへ飛ぶ。
【００３３】
ステップＳ３３では修正モード選択スイッチ５の状態を読み込み、修正モードが選択されていると判定されればステップＳ３５へ進み、修正モードが選択されていないと判定されればステップＳ３４へ進む。ステップＳ３４では発光モード選択スイッチ６の状態を読み込み、プリ発光モードが選択されていると判定されればステップＳ３７へ進み、プリ発光モードが選択されていないと判定されればステップＳ３５へ進む。
【００３４】
ステップＳ３５ではプリ発光を行わずにストロボ撮影を行い、ステップＳ３６へ進む。ステップＳ３６ではフィルムＦの撮影情報記録領域Ｍ２に赤目情報を写し込んでリターンする。一方、ステップＳ３７ではプリ発光を行いステップＳ３８へ進む。ステップＳ３８ではストロボ撮影を行いリターンする。
【００３５】
このように、第４の実施の形態では修正モードが選択されておらず、かつプリ発光モードが選択されている場合には、プリ発光を行い赤目情報の記録を行わない（ステップＳ３７、ステップＳ３８）。また、修正モードが選択されている場合、またはプリ発光モードが選択されていない場合には、プリ発光を行わず赤目情報を記録する（ステップＳ３５、ステップＳ３６）。
【００３６】
−第５の実施の形態−
以下、図７を用いて、本発明による赤目修正に対応可能なカメラシステムの第５の実施の形態の動作について説明する。第５の実施の形態のカメラシステムの構成は第１の実施の形態のカメラシステムと同一であるため、その説明は省略する。
【００３７】
図７のステップＳ４１では輝度情報検出部１の輝度情報およびストロボ装置２の使用の有無を読み込み、ステップＳ４２へ進む。ステップＳ４２ではステップＳ４１で読み込まれた情報に基づいて赤目が発生しうる撮影条件か否か判断し、赤目発生の可能性があるものと判定されればステップＳ４３へ進み、赤目発生の可能性がないものと判定されれば不図示のルーチンへ飛ぶ。
【００３８】
ステップＳ４３では修正モード選択スイッチ５の状態を読み込み、修正モードが選択されていると判定されればステップＳ４４へ進み、修正モードが選択されていないと判定されればステップＳ４５へ進む。ステップＳ４４では発光モード選択スイッチ６の状態を読み込み、プリ発光モードが選択されていると判定されればステップＳ４５へ進み、プリ発光モードが選択されていないと判定されればステップＳ４７へ進む。
【００３９】
ステップＳ４５ではプリ発光を行いステップＳ４６へ進む。ステップＳ４６ではストロボ撮影を行いリターンする。一方、ステップＳ４７ではプリ発光を行わずにストロボ撮影を行い、ステップＳ４８へ進む。ステップＳ４８ではフィルムＦの撮影情報記録領域Ｍ２に赤目情報を写し込んでリターンする。
【００４０】
このように、第５の実施の形態では修正モードが選択されている場合、またはプリ発光モードが選択されている場合には、プリ発光を行い赤目情報の記録を行わない（ステップＳ４５、ステップＳ４６）。また、修正モードが選択され、かつプリ発光モードが選択されていない場合には、プリ発光を行わず赤目情報を記録する（ステップＳ４７、ステップＳ４８）。
【００４１】
−第６の実施の形態−
以下、図８〜図１０を用いて、本発明による赤目修正に対応可能なカメラシステムの第６の実施の形態について説明する。第６の実施の形態は第１の実施の形態のカメラシステムで開示したシーケンス動作をデジタルカメラシステムに適用したものである。
【００４２】
図８において１０１は光電変換素子（ＣＣＤ）を用いた画像センサ、１０２は画像センサ１０１から出力されたアナログ信号を増幅するとともに、その信号をデジタル信号に変換するＡ／Ｄコンバータ、１０３はデジタル化された画像信号を高画質化する各種の処理、例えば画像のγ変換等を行うとともに、画像信号に対する圧縮処理（例えばＪＰＥＧ等の規格に即した処理）の他、後述する赤目修正画像処理を行う画像処理回路である。１０４は画像信号を記憶するメモリであり、例えばノート型パーソナルコンピュータ等に挿脱されるＩＣカード等が用いられる。１０５はメモリ１０４に蓄積された画像信号を外部プリンタ等に転送するための伝送装置、１０６は画像データおよび画像データの属性情報（例えば、撮影条件等）を表示する液晶モニタである。１０７は被写体の輝度が低い場合に撮影時に発光して被写体を照明するストロボ装置である。１０８は撮影時に押込まれるレリーズスイッチである。
【００４３】
図８において、１０９は修正モード選択スイッチであり、赤目修正モードを選択するか否か、すなわち赤目が発生する撮影条件であると判定されたときに、赤目情報をメモリ１０４に記録するか否かを選択するためのスイッチである。赤目修正モードが選択されていない場合には、赤目が発生する撮影条件であると判定されたときでも赤目情報の記録は行われない。
【００４４】
図８において、１１０はストロボ装置１０７の発光モードを切替えるための発光モード選択スイッチである。発光モード選択スイッチ１１０により、自動発光モード、強制発光モード、発光禁止モード、プリ発光モード（赤目軽減モード）等が選択できる。自動発光モードとは撮影条件に基づいてストロボ発光の有無を自動的に決定するモードであり、強制発光モードとは常にストロボ撮影を行うモードであり、発光禁止モードとはストロボ発光を行わずに撮影するモードであり、プリ発光モードとは赤目を軽減するために１回ストロボ発光を行った後、ストロボ撮影に移行するモードである。
【００４５】
図８において、１１１は撮影モード選択スイッチであり、セルフタイマー撮影モード（あるいはリモコン撮影モード）、ポートレート撮影モード等が選択できる。ポートレートモードとは人物撮影（肖像撮影）に適するように撮影制御を行う撮影モードである。また、１１２は動作切換選択スイッチであり、撮影を可能とする画像記録モードと、画像の再生を可能とする画像再生モードとを択一的に切換えるスイッチである。
【００４６】
図８において、１１３はカメラ各部を制御する中央演算処理装置であり、画像センサ１０１、Ａ／Ｄ変換器１０２、画像処理回路１０３、メモリ１０４、伝送装置１０５、液晶モニタ１０６、ストロボ装置１０７、レリーズスイッチ１０８、修正モード選択スイッチ１０９、発光モード選択スイッチ１１０、撮影モード選択スイッチ１１１および動作切換スイッチ１１２と接続されている。
【００４７】
次に、第６の実施の形態のカメラシステムにおける画像記録時（撮影時）の動作について説明する。図９（ａ）の画像記録時の動作は、画像記録モード（撮影を可能とするモード）が選択されているときにおいてレリーズスイッチ１０８がオンしたことを検出するとスタートし、ステップＳ５１では輝度情報およびストロボ使用情報を読み込む。輝度情報は画像センサ１０１の出力信号に基づいて得られる撮影時における被写体の輝度を示す情報である。また、ストロボ使用情報は撮影時にストロボ装置１０７による発光を行うか否かを示す情報である。続くステップＳ５２ではステップＳ５１で読み込んだ情報に基き、赤目現象が発生する可能性のある撮影条件か否かを判断し、赤目が発生しうる撮影条件であると判定されればステップＳ５３へ進み、赤目が発生し得ない撮影条件であると判定されれば不図示のルーチンへ進む。
【００４８】
赤目現象はストロボ光に起因しているので、ストロボ装置１０７を使用しない撮影では発生しない。また、赤目現象は撮影環境が暗い場合に発生しやすいが、これは暗い場合に瞳孔の直径が大きくなるため、眼球内部へのストロボ光の入射光量および眼球内部からの反射光量のいずれも大きくなるからである。ステップＳ５１では、このような赤目現象の発生する可能性を判定するのに必要な情報を読み込み、ステップＳ５２において赤目現象の発生を予測するようにしたものである。
【００４９】
次に、ステップＳ５３では修正モード選択スイッチ１０９の状態を読み込み、赤目修正モードが選択されていると判定されればステップＳ５５へ進み、赤目修正モードが選択されていないと判定されればステップＳ５４へ進む。ステップＳ５４ではプリ発光を行った後、ストロボ撮影を行い、リターンする。このステップＳ５４ではストロボ発光により照明された被写体像を画像センサ１０１を介して取込み、被写体像をメモリ１０４に記録する。
【００５０】
一方、ステップＳ５５ではプリ発光をすることなくストロボ撮影を行い、ステップＳ５６へ進む。このステップＳ５５ではステップＳ５４における動作と同様、画像センサ１０１を介して取込んだ被写体像をメモリ１０４に記録する。ステップＳ５６ではステップＳ５２における判定結果に基づき、赤目現象の発生の可能性があることを示す赤目情報をメモリ１０４に記録し、シーケンスを終了する。赤目情報はメモリ１０４のアドレス内にステップＳ５５で記録した画像と互いに関連づけて記録される。例えば、図１０に示すように撮影された各画像は、ヘッダー情報００１Ａ，００１Ｂ，・・・に基づいてグループ化される。図１０では「００１」の番号でグループ化された一の画像に関する記録情報を示している。
【００５１】
図９（ａ）ではステップＳ５４において撮影を行った場合には、その後に赤目情報の記録を行わないようにしているが、この場合もプリ発光が禁止された場合（ステップＳ５５、ステップＳ５６）と同様に、赤目情報の写し込みを行うようにしてもよい。
【００５２】
次に、画像再生時における動作について説明する。図９（ｂ）の画像再生時の動作は画像再生モードが選択されているときに実行される。図９（ｂ）のステップＳ６１では、操作者の入力操作により指定された再生駒の画像および記録情報をメモリ１０４から読み込む。ステップＳ６２ではステップＳ６１において読み込んだ記録情報に赤目情報が含まれているか否か判断し、赤目情報が含まれていると判定されればステップＳ６３へ進み、赤目情報が含まれていないと判定されればステップＳ６５へ進む。
【００５３】
ステップＳ６３では選択された駒の画像について赤目修正画像処理を行う。ステップＳ６３の赤目修正画像処理では赤目現象が発生している眼の領域を抽出し、その領域を黒色に変換する。具体的には、例えば、周知の画像処理により選択された駒の画像の中から眼の領域を抽出し赤目修正領域をｎ行ｍ列のマトリクス領域として決定する。そして、赤目修正領域が決定されたら、１行１列の画素から画像を１行ずつ走査し、赤色が検出された画素を黒に変換する。眼を抽出するにあたっては、例えば、白色および黒色の領域の配置および形状等を検出し、これに基づいて眼の領域を抽出することができる。撮影距離が一定値以下の場合に限って赤目修正画像処理を行うようにし、撮影距離が一定値以上の場合には人物撮影であっても赤目が目立たないので、眼の領域の抽出を行わないようにしてもよい。
【００５４】
また、赤目修正処理に先立ち、操作者が修正領域を指定できるようにしてもよい。例えば、液晶モニタ１０６で画像を表示した状態において操作者がペン入力等で眼の部分を含むような領域を指定できるように構成し、指定された領域について上述の抽出処理および色の変換処理を行うようにすればよい。修正領域を予め指定することにより不必要な部分についての抽出処理等が不要になるので、赤目修正処理の時間を短縮できる。
【００５５】
続いてステップＳ６４ではメモリ１０４に記録された画像データを赤目修正処理後の画像データに書き換え、ステップＳ６５へ進む。ステップＳ６５では選択された画像を液晶モニタ１０６に再生表示するとともに、その画像が伝送装置１０５を介して出力される。ここでは、ステップＳ６３、ステップＳ６４において赤目修正処理されている場合には、修正後の画像が再生される。
【００５６】
第６の実施の形態のカメラシステムでは、赤目修正モードが選択されている場合には撮影時のプリ発光を禁止し（ステップＳ５５）、画像再生時に赤目修正すべく赤目情報をメモリ１０４に記録するようにしている（ステップＳ５６）。プリ発光を行わずストロボ撮影をする場合には、赤目が写し込まれる可能性があるが、赤目修正を行うことが予定されている場合には、プリ発光を省略しても修正により最終的には再生画像に赤目の部分が残らないため問題はない。したがって第６の実施の形態では、赤目修正モードの選択と無関係にプリ発光を行う場合と比べて、電力消費を抑制することができる。
【００５７】
赤目修正画像処理を行うタイミングは画像再生時に限定されない。
【００５８】
−第７の実施の形態−
以下、図１１を用いて、本発明による赤目修正に対応可能なカメラシステムの第７の実施の形態の動作について説明する。第７の実施の形態のカメラシステムの構成は第６の実施の形態のカメラシステムと同一であるため、その説明は省略する。第７の実施の形態は第２の実施の形態のカメラシステムで開示したシーケンス動作をデジタルカメラシステムに適用したものである。
【００５９】
図１１のステップＳ１１Ａでは輝度情報およびストロボ使用情報を読み込み、ステップＳ１２Ａへ進む。ステップＳ１２ＡではステップＳ１１Ａで読み込まれた情報に基づいて赤目が発生しうる撮影条件か否か判断し、赤目発生の可能性があるものと判定されればステップＳ１３Ａへ進み、赤目発生の可能性がないものと判定されれば不図示のルーチンへ飛ぶ。
【００６０】
ステップＳ１３Ａでは発光モード選択スイッチ１１０の状態を読み込み、プリ発光モードが選択されていないと判定されればステップＳ１４Ａへ進む。ステップＳ１４Ａではプリ発光を行わずにストロボ撮影を行い、ステップＳ１５Ａへ進む。ステップＳ１５ではメモリ１０４に赤目情報を記録してリターンする。一方、ステップＳ１３Ａにおいてプリ発光モードが選択されていると判定されればステップＳ１６Ａへ進み、ステップＳ１６Ａではプリ発光を行った後、ストロボ撮影を行ってリターンする。
【００６１】
第７の実施の形態では、プリ発光モードが選択されている場合には、撮影に際して赤目情報をメモリ１０４に記録しないようにしている。プリ発光モードが選択されている場合にはプリ発光が行われるため（ステップＳ１６Ａ）、赤目が発生する可能性が極めて低く、赤目修正の必要がない。このため、第７の実施の形態ではこのような場合には再生時における赤目修正を行わないようにして、処理の簡略化を図っている。
【００６２】
−第８の実施の形態−
以下、図１２を用いて、本発明による赤目修正に対応可能なカメラシステムの第８の実施の形態の動作について説明する。第８の実施の形態のカメラシステムの構成は第６の実施の形態のカメラシステムと同一であるため、その説明は省略する。第８の実施の形態は第３の実施の形態のカメラシステムで開示したシーケンス動作をデジタルカメラシステムに適用したものである。
【００６３】
図１２はストロボ撮影が選択された場合の動作の一部を示している。図１２のステップＳ２１Ａでは撮影モード選択スイッチ１１１の状態を読み込み、セルフタイマー撮影モード（あるいはリモコン撮影モード）またはポートレート撮影モードが選択されていると判定されればステップＳ２４Ａへ進み、これらの撮影モードがいずれも選択されていないと判定されればステップＳ２２Ａへ進む。ステップＳ２２Ａではプリ発光を行うか否か判断し、プリ発光を行うと判定されればステップＳ２３Ａへ進み、プリ発光を行わないと判定されればステップＳ２４Ａへ進む。ステップＳ２３Ａではストロボ撮影を行い、リターンする。
【００６４】
ステップＳ２４Ａでは輝度情報およびストロボ使用情報を読み込み、ステップＳ２５Ａへ進む。ステップＳ２５ＡではステップＳ２４Ａで読み込まれた情報に基づいて赤目が発生しうる撮影条件か否か判断し、赤目発生の可能性があるものと判定されればステップＳ２６Ａへ進み、赤目発生の可能性がないものと判定されれば不図示のルーチンへ飛ぶ。ステップＳ２６Ａではストロボ撮影を行い、ステップＳ２７Ａへ進む。ステップＳ２７Ａでは赤目情報をメモリ１０４に記録し、リターンする。
【００６５】
第８の実施の形態では、セルフタイマー撮影モード（あるいはリモコン撮影モード）またはポートレート撮影モードが選択されている場合には、赤目発生の可能性があるものと判定されていれば（ステップＳ２５Ａ）、プリ発光の有無と無関係に赤目情報を記録するようにしている（ステップＳ２７Ａ）。また、セルフタイマー撮影モード（あるいはリモコン撮影モード）またはポートレート撮影モードが選択されていない場合には、プリ発光を行わない場合にのみ赤目情報を記録するようにしている（ステップＳ２３Ａ、ステップＳ２７Ａ）。このように、セルフタイマー撮影等の撮影モードが選択されている場合には、プリ発光を行う撮影駒についても再生時に赤目修正を行うようにしたのは、これらの撮影モードでは人物が被写体となる可能性が高いため、確実に赤目を排除できる処理を採るようにしたものである。プリ発光後のストロボ撮影では通常は赤目が生じないが、この場合においても稀に赤目が発生することがあるため、赤目が発生した場合には再生時の赤目修正により対処するようにしたものである。
【００６６】
−第９の実施の形態−
以下、図１３を用いて、本発明による赤目修正に対応可能なカメラシステムの第９の実施の形態の動作について説明する。第９の実施の形態のカメラシステムの構成は第６の実施の形態のカメラシステムと同一であるため、その説明は省略する。第９の実施の形態は第４の実施の形態のカメラシステムで開示したシーケンス動作をデジタルカメラシステムに適用したものである。
【００６７】
図１３のステップＳ３１Ａでは輝度情報およびストロボ使用情報を読み込み、ステップＳ３２Ａへ進む。ステップＳ３２ＡではステップＳ３１Ａで読み込まれた情報に基づいて赤目が発生しうる撮影条件か否か判断し、赤目発生の可能性があるものと判定されればステップＳ３３Ａへ進み、赤目発生の可能性がないものと判定されれば不図示のルーチンへ飛ぶ。
【００６８】
ステップＳ３３Ａでは修正モード選択スイッチ１０９の状態を読み込み、修正モードが選択されていると判定されればステップＳ３５Ａへ進み、修正モードが選択されていないと判定されればステップＳ３４Ａへ進む。ステップＳ３４Ａでは発光モード選択スイッチ１１０の状態を読み込み、プリ発光モードが選択されていると判定されればステップＳ３７Ａへ進み、プリ発光モードが選択されていないと判定されればステップＳ３５Ａへ進む。
【００６９】
ステップＳ３５Ａではプリ発光を行わずにストロボ撮影を行い、ステップＳ３６Ａへ進む。ステップＳ３６Ａではメモリ１０４に赤目情報を写し込んでリターンする。一方、ステップＳ３７Ａではプリ発光を行いステップＳ３８Ａへ進む。ステップＳ３８Ａではストロボ撮影を行いリターンする。
【００７０】
このように、第９の実施の形態では修正モードが選択されておらず、かつプリ発光モードが選択されている場合には、プリ発光を行い赤目情報の記録を行わない（ステップＳ３７Ａ、ステップＳ３８Ａ）。また、修正モードが選択されている場合、またはプリ発光モードが選択されていない場合には、プリ発光を行わず赤目情報を記録する（ステップＳ３５Ａ、ステップＳ３６Ａ）。
【００７１】
−第１０の実施の形態−
以下、図１４を用いて、本発明による赤目修正に対応可能なカメラシステムの第１０の実施の形態の動作について説明する。第１０の実施の形態のカメラシステムの構成は第６の実施の形態のカメラシステムと同一であるため、その説明は省略する。第１０の実施の形態は第５の実施の形態のカメラシステムで開示したシーケンス動作をデジタルカメラシステムに適用したものである。
【００７２】
図１４のステップＳ４１Ａでは輝度情報およびストロボ使用情報を読み込み、ステップＳ４２Ａへ進む。ステップＳ４２ＡではステップＳ４１Ａで読み込まれた情報に基づいて赤目が発生しうる撮影条件か否か判断し、赤目発生の可能性があるものと判定されればステップＳ４３Ａへ進み、赤目発生の可能性がないものと判定されれば不図示のルーチンへ飛ぶ。
【００７３】
ステップＳ４３Ａでは修正モード選択スイッチ１０９の状態を読み込み、修正モードが選択されていると判定されればステップＳ４４Ａへ進み、修正モードが選択されていないと判定されればステップＳ４５Ａへ進む。ステップＳ４４Ａでは発光モード選択スイッチ１１０の状態を読み込み、プリ発光モードが選択されていると判定されればステップＳ４５Ａへ進み、プリ発光モードが選択されていないと判定されればステップＳ４７Ａへ進む。
【００７４】
ステップＳ４５Ａではプリ発光を行いステップＳ４６Ａへ進む。ステップＳ４６Ａではストロボ撮影を行いリターンする。一方、ステップＳ４７Ａではプリ発光を行わずにストロボ撮影を行い、ステップＳ４８Ａへ進む。ステップＳ４８Ａではメモリ１０４に赤目情報を記録してリターンする。
【００７５】
このように、第１０の実施の形態では修正モードが選択されている場合、またはプリ発光モードが選択されている場合には、プリ発光を行い赤目情報の記録を行わない（ステップＳ４５Ａ、ステップＳ４６Ａ）。また、修正モードが選択され、かつプリ発光モードが選択されていない場合には、プリ発光を行わず赤目情報を記録する（ステップＳ４７Ａ、ステップＳ４８Ａ）。
【００７６】
【発明の効果】
請求項１に記載の発明によれば、記録動作切換手段によって赤目発生条件記録手段の動作を禁止している場合にはプリ発光手段の動作を許可し、記録動作切換手段によって赤目発生条件記録手段の動作をさせている場合にはプリ発光手段の動作を禁止するようにしたので、プリ発光手段の消費電力を抑制できる。
請求項２に記載の発明によれば、修正動作切換手段によって修正手段の動作を禁止している場合にはプリ発光手段の動作を許可し、修正動作切換手段によって修正手段の動作をさせている場合にはプリ発光手段の動作を禁止するようにしたので、プリ発光手段の消費電力を抑制できる。
請求項３に記載の発明によれば、プリ発光動作切換手段によってプリ発光手段の動作を禁止している場合には赤目発生条件記録手段を動作させ、プリ発光動作切換手段によってプリ発光手段の動作を許可している場合には赤目発生条件記録手段の動作を禁止するので、カメラシステムにおける処理を簡略化することができる。
請求項４に記載の発明によれば、セルフタイマー撮影選択手段によってセルフタイマー撮影が選択された撮影駒についてはプリ発光手段によるプリ発光の有無にかかわりなく修正指示情報記録手段を動作させ、セルフタイマー撮影選択手段によってセルフタイマー撮影が選択されなかった撮影駒についてはプリ発光手段によるプリ発光をしない場合にのみ修正指示情報記録手段を動作させるようにしたので、赤目を確実に排除することができる。
請求項５に記載の発明によれば、リモートコントロール撮影選択手段によってリモートコントロール撮影が選択された撮影駒についてはプリ発光手段によるプリ発光の有無にかかわりなく修正指示情報記録手段を動作させ、リモートコントロール撮影選択手段によってリモートコントロール撮影が選択されなかった撮影駒についてはプリ発光手段によるプリ発光をしない場合にのみ修正指示情報記録手段を動作させるようにしたので、赤目を確実に排除することができる。
請求項６に記載の発明によれば、人物撮影専用モード選択手段によって人物撮影専用モードが選択された撮影駒についてはプリ発光手段によるプリ発光の有無にかかわりなく修正指示情報記録手段を動作させ、人物撮影専用モード選択手段によって人物撮影専用モードが選択されなかった撮影駒についてはプリ発光手段によるプリ発光をしない場合にのみ修正指示情報記録手段を動作させるようにしたので、赤目を確実に排除することができる。
【図面の簡単な説明】
【図１】第１の実施の形態のカメラシステムを示すブロック図。
【図２】銀塩フィルムを示す図。
【図３】第１の実施の形態のカメラシステムの動作を示す図であり、（ａ）は撮影時における動作を示すフローチャート、（ｂ）はプリント時における動作を示すフローチャート。
【図４】第２の実施の形態のカメラシステムの動作を示すフローチャート。
【図５】第３の実施の形態のカメラシステムの動作を示すフローチャート。
【図６】第４の実施の形態のカメラシステムの動作を示すフローチャート。
【図７】第５の実施の形態のカメラシステムの動作を示すフローチャート。
【図８】第６の実施の形態のカメラシステムを示すブロック図。
【図９】第６の実施の形態のカメラシステムの動作を示す図であり、（ａ）は撮影時における動作を示すフローチャート、（ｂ）は再生時における動作を示すフローチャート。
【図１０】赤目情報のメモリへの記録方法を示す図。
【図１１】第７の実施の形態のカメラシステムの動作を示すフローチャート。
【図１２】第８の実施の形態のカメラシステムの動作を示すフローチャート。
【図１３】第９の実施の形態のカメラシステムの動作を示すフローチャート。
【図１４】第１０の実施の形態のカメラシステムの動作を示すフローチャート。
【符号の説明】
２      ストロボ装置
４      情報記録部
５      修正モード選択スイッチ
６      発光モード選択スイッチ
７      撮影モード選択スイッチ
１０３  画像処理回路
１０４  メモリ
１０７  ストロボ装置
１０９  修正モード選択スイッチ
【図１】
0003948080.tif 000002
【図２】
0003948080.tif 000003
【図３】
0003948080.tif 000004
【図４】
0003948080.tif 000005
【図５】
0003948080.tif 000006
【図６】
0003948080.tif 000007
【図７】
0003948080.tif 000008
【図８】
0003948080.tif 000009
【図９】
0003948080.tif 000010
【図１０】
0003948080.tif 000011
【図１１】
0003948080.tif 000012
【図１２】
0003948080.tif 000013
【図１３】
0003948080.tif 000014
【図１４】
0003948080.tif 000015